(57)【要約】【課題】見飽きることがなく、また、小型鑑賞魚を拡大表示できる小型魚鑑賞用装置を提供する。【解決手段】仕切部２ｄによって複数の部屋に区画された水槽２と、部屋内に収容された小型鑑賞魚を撮影するマイクロカメラ６と、マイクロカメラ６によって撮影される部屋が切り換えられるように水槽２を移動させるモータ９とを有し、マイクロカメラ６によって撮影された映像を表示装置７に出力するように構成してなることを特徴とする。【選択図】図１
2007159456.tif 000002
【特許請求の範囲】
【請求項１】
複数の部屋に仕切られた水槽と、
上記部屋内に収容された小型鑑賞魚を撮影する撮像手段と、
上記撮像手段によって撮影される上記部屋が切り換えられるように上記水槽を移動させる水槽移動手段とを有し、
上記撮像手段によって撮影された映像を表示手段に出力するように構成してなることを特徴とする小型魚鑑賞用装置。
【請求項２】
上記水槽が有底筒状容器で構成され、この水槽内に不透明の仕切板が放射状に設けられることによって上記複数の部屋が形成されている請求項１記載の小型魚鑑賞用装置。
【請求項３】
上記仕切板は上記水槽の中心に設けられた筒状区画部の側壁から放射状に設けられ、上記各部屋は上記仕切板および上記筒状区画部の下端と上記水槽底板部との間に設けられた隙間を通じて連通している請求項２記載の小型魚鑑賞用装置。
【請求項４】
上記筒状区画部内に水中ポンプが配置され、この水中ポンプから汲み上げた水を濾過装置に供給し、濾過された水を上記複数の部屋のいずれか一つに戻すように構成されている請求項３記載の小型魚鑑賞用装置。
【請求項５】
上記撮像手段としてマクロ機能を備えたカメラを有し、上記部屋に収容された小型鑑賞魚を表示手段に対して拡大表示するように構成されている請求項１〜４のいずれか１項に記載の小型魚鑑賞用装置。
【請求項６】
上記水槽移動手段として上記水槽を垂直軸まわりに回転させるモータが設けられている請求項２〜５のいずれか１項に記載の小型魚鑑賞用装置。
【請求項７】
請求項１〜６のいずれか１項に記載の小型魚鑑賞用装置と、表示手段とから構成される小型魚鑑賞用システム。
【請求項８】
請求項７記載の小型魚鑑賞用システムにおいて、複数の上記撮像手段を有し、各撮像手段と上記表示手段との間にマルチプレクサと、このマルチプレクサに接続された多重録画装置とが接続され、上記表示手段に対して上記複数の部屋の映像を分割表示するように構成してなる小型魚鑑賞用システム。
【発明の詳細な説明】
【技術分野】
【０００１】
本発明は、水槽内の小型鑑賞魚を撮影した映像を表示装置に表示する小型魚鑑賞用装置およびそのシステムに関するものである。
【背景技術】
【０００２】
従来、鑑賞魚を撮影したカメラ映像を水槽から離れた場所に設けられた表示装置に表示する表示システムが知られている。このような表示システムによれば、例えば水槽を模したケース内に表示装置を収納し、鑑賞魚が泳ぐ様子をその表示装置の画面上に表示することでその場にあたかも水槽を設置しているように見せることができる。
【発明の開示】
【発明が解決しようとする課題】
【０００３】
しかしながら、この種の表示システムは、水槽内の鑑賞魚を単に映像に変えて再生しているだけであるため、表示されている映像に見飽きてしまうという欠点がある。
【０００４】
また、体長が３〜５ｃｍ程度の小型鑑賞魚については群れの状態でしか鑑賞することができず、個々の鑑賞魚について色や形を楽しむことができないという欠点もある。
【０００５】
本発明は以上のような従来の鑑賞魚映像を表示するシステムにおける課題を考慮してなされたものであり、第一の目的は見飽きることがなく長時間楽しむことができ、第二の目的は小型鑑賞魚の色や形についても拡大された状態で鑑賞することができる小型魚鑑賞用装置およびそのシステムを提供することにある。
【課題を解決するための手段】
【０００６】
本発明は、複数の部屋に仕切られた水槽と、その部屋内に収容された小型鑑賞魚を撮影する撮像手段と、撮像手段によって撮影される部屋が切り換えられるように水槽を移動させる水槽移動手段とを有し、撮像手段によって撮影された映像を表示手段に出力するように構成してなる小型魚鑑賞用装置である。
【０００７】
本発明で使用する水槽とは、撮像手段によって撮影する範囲については透明部材で構成され、また、水槽を複数の部屋に仕切る仕切部は不透明部材で構成されるものである。
【０００８】
また、撮像手段は固定とし、撮像手段の撮影視野内に、被写体となる各部屋の小型鑑賞魚が順番に入るように水槽を移動させるものである。
【０００９】
本発明において、上記水槽を有底筒状容器で構成した場合、この水槽内に不透明の仕切板を放射状に設けることによって上記複数の部屋を形成することができる。
【００１０】
本発明において、上記仕切板は水槽の中心に設けられた筒状区画部の側壁から放射状に設けることができ、各部屋は仕切板および筒状区画部の下端と水槽底板部との間に設けられた隙間を通じて連通させることができる。
【００１１】
このように、水槽内の各部屋が連通していれば、上記筒状区画部内に水中ポンプを配置し、この水中ポンプから汲み上げた水を濾過装置に供給し、濾過された水を複数の部屋のいずれか一つに戻すように構成すれば、各部屋内の水を共通の濾過装置で濾過することができるようになる。
【００１２】
本発明において、上記撮像手段としてマクロ機能を備えたカメラを使用すれば、部屋に収容された小型鑑賞魚を表示手段に対して拡大表示することができる。
【００１３】
本発明において、上記水槽移動手段として水槽を垂直軸まわりに回転させるモータを設けることができる。
【００１４】
本発明は、上記構成を有する小型魚鑑賞用装置と表示手段とから構成される小型魚鑑賞用システムである。上記表示手段は、液晶表示装置、プラズマディスプレイ、スクリーンに映像を投影するプロジェクター等で構成することができる。
【００１５】
また、上記小型魚鑑賞システムにおいて、複数の上記撮像手段を有し、各撮像手段と表示手段との間にマルチプレクサと、このマルチプレクサに接続された多重録画装置とを接続すれば、表示手段に対して複数の部屋の映像を分割表示することができるようになる。
【発明の効果】
【００１６】
本発明の小型魚鑑賞用装置によれば、水槽移動手段によって水槽が移動すると、撮像手段によって撮影される部屋が切り換えられ、別の部屋の小型鑑賞魚の映像を出力することができるため、表示手段を接続すれば、映し出される小型鑑賞魚の映像が周期的に変化し、映像を見飽きることがないという長所を有する。
【００１７】
また、撮像手段としてマクロ機能を備えたカメラを使用すれば、小型鑑賞魚を拡大して表示手段に表示することができる。
【００１８】
表示手段を備えた本発明の小型魚鑑賞用システムによれば、小型鑑賞魚の撮影から表示までを行うことができる。また、表示手段に複数の部屋の映像を分割表示することができる。
【発明を実施するための最良の形態】
【００１９】
以下、図面に示した実施の形態に基づいて本発明を詳細に説明する。
【００２０】
図１は、本発明に係る小型魚鑑賞用（以下、鑑賞用装置と略称する）の一実施形態を示したものである。
【００２１】
同図において、鑑賞用装置１は、小型鑑賞魚を収容するための水槽２と、水槽２上に設けられる照明装置３と、この照明装置３等を支持するためのスタンド４と、水槽２の外部に設けられ図示しないモータで水を循環させ水槽２内の水を濾過する外部濾過装置（濾過装置）５と、水槽２内の小型鑑賞魚を撮影するためのマイクロカメラ（撮像装置）６とを有している。
【００２２】
この鑑賞用装置１のマイクロカメラ６を表示装置（表示手段）７に接続すれば、小型鑑賞魚の撮影から表示までを一貫して行える鑑賞用システムとなる。
【００２３】
図２は上記水槽２を拡大して示したものである。
【００２４】
同図に示すように、水槽２は円形の底板２ａとその底板２ａの周縁から筒状に立設された側板２ｂとを有し、底板２ａは白色のアクリル樹脂で形成され、側板２ｂは透明のアクリル樹脂で形成されている。この側板２ｂの外径は本実施形態では５００ｍｍのものを使用している。
【００２５】
水槽２中央には不透明なアクリル樹脂で形成された筒状区画部２ｃが配置されており、その筒状区画部２ｃの胴部外面からは筒状区画部２ｃと同じ材質からなる複数の仕切板２ｄが放射状に配置されている。それにより、水槽２内において円周方向に複数の部屋が等間隔に配置されるようになっている。
【００２６】
なお、本実施形態では水槽２内に１２の部屋Ｃ１〜Ｃ１２を配置している。また、上記筒状区画部２ｃは円形であっても多角形であってもよい。
【００２７】
このような各部屋で飼育することができる小型鑑賞魚としては、水質環境が共通している小型鑑賞魚、例えば体長５ｃｍ程度の例えばベラ、体長３ｃｍ程度のテトラ等が挙げられる。
【００２８】
上記複数の仕切板２ｄの外周側端部は上記側板２ｂと接続されている。ただし、筒状区画部２ｃと底板２ａとの間および仕切板２ｄと底板２ａとの間にはそれぞれ隙間Ｓが確保されており、水槽２内の水はこの隙間Ｓを通じて流れることができるようになっている。なお、隙間Ｓは小型鑑賞魚にダメージを与えることなく水の移動を可能にすることができる距離、例えば５ｍｍに設定すればよい。
【００２９】
図１に戻って説明する。
【００３０】
上記水槽２は平板状のベース８上に垂直軸Ｖ．Ａまわりに回転自在に設置されており、底板２ａの下方に形成されている円盤部２ｅと、モータ９の出力軸との間にベルト１０が張架されている。なお、上記モータ９およびベルト１０は水槽移動手段として機能する。
【００３１】
また、水槽２の筒状区画部２ｃ内には水中ポンプ１１を挿入することができるようになっており、この水中ポンプ１１はホース１２を介して水槽２内の水を汲み上げ、外部濾過装置５に供給するようになっている。
【００３２】
外部濾過装置５のフィルターを通して濾過された水はさらにホース１３を通じ、水槽２に形成されている複数の部屋のいずれかに戻されるようになっている。なお、図中、１４はホース１２を吊り下げた状態で固定するための固定具である。
【００３３】
照明装置３はリング状の蛍光灯１５を内蔵しており、拡散光を水槽２に向けるためのフード１６が備えられている。この照明装置３はスタンド４に沿って昇降させることができ、水槽２上面との距離を調節することができるようになっている。なお、この照明装置３は、専ら小型鑑賞魚を鮮明に撮影するために設けられている。
【００３４】
マクロ機能付きマイクロカメラ６は水槽２に対し水平方向に配置されており、仕切板２ｄで仕切られた部屋内を泳いでいる小型鑑賞魚をカラー撮影することができるようになっている。
【００３５】
上記マイクロカメラ６はカメラ本体６ａとそのカメラ本体６ａに装着されるマクロレンズ６ｂとを有し、マクロレンズは例えば焦点距離５０ｍｍのものを使用することができる。
【００３６】
このマイクロカメラ６の出力はカメラケーブル６ｃを介し、液晶ディスプレイから構成される表示装置７に接続されている。なお、ＡＣアダプタや電源コードは説明を簡単にするため、省略している。なお、表示装置７は上記液晶ディスプレイに限らず、プラズマディスプレイ、スクリーン上に映像を投影するプロジェクター等で構成することもできる。
【００３７】
次に、上記構成を有する鑑賞用装置１の動作について説明する。
【００３８】
なお、水槽２の各部屋にはそれぞれ種類の異なる小型鑑賞魚が少なくとも１匹収容されているものとする。
【００３９】
マイクロカメラ６に通電を行い、マイクロカメラ６によって撮影された映像を表示装置７の画面上に表示させる。
【００４０】
このとき、マイクロカメラ６は小型鑑賞魚を至近距離から撮影しており、表示装置７に表示される映像は拡大された映像が表示される。
【００４１】
水槽２を回転させる場合、モータ９に供給する電圧を制御することにより水槽２を低速（１〜２ｒｐｍ程度）で回転させればよく、また、モータ９の出力軸を減速装置を介して水槽２の回転軸と連結し低速回転させるように構成することもできる。
【００４２】
また、モータ９としてステッピングモータを使用し回転角度をパルス入力によって制御すれば、水槽２を間欠的に回転させることもできる。例えば、Ｃ１の部屋内の小型鑑賞魚を１０分間撮影した後、ステッピングモータを駆動させることにより水槽２を所定角度回転させ、マイクロカメラ６のマクロレンズ６ｂ正面に部屋Ｃ２を移動させる。Ｃ２の部屋を１０分間撮影すると、さらに上記と同じ手順で水槽２を間欠的に回転させ、この動作を繰り返すことによってＣ３〜Ｃ１２の各部屋について順次撮影を行えば、表示装置７の画面上に映し出される小型鑑賞魚の映像を周期的に切り換えることができる。
【００４３】
また、水槽２内を複数の部屋に仕切っているものの、水槽２内の各部屋は仕切板２ｄおよび筒状区画部２ｃの下部に形成されている隙間Ｓを通じて連通しているため、水中ポンプ１１から水槽２内の水を汲み上げ、外部濾過装置５で濾過した水を水槽２のいずれかの部屋に戻せば、共通の水中ポンプ１１、共通の外部濾過装置５で水槽２内の各部屋内の水を同時に浄化することができ、鑑賞用装置１の構成を簡素化することができるようになる。
【００４４】
なお、撮影が行われていない部屋の小型鑑賞魚については別の小型鑑賞魚に入れ替えすることができる。
【００４５】
上記実施形態では１台のマイクロカメラ６で撮影した映像を１台の表示装置７に表示させる構成について説明したが、マイクロカメラ６は１台に限らず、複数台配置することもできる。
【００４６】
例えば、水槽２の周囲に４台のマイクロカメラ６を配置して同時に４つの部屋内を撮影することができるようにし、さらに各マイクロカメラ６と表示装置７との間にマルチプレクサを接続して小型魚鑑賞用システムを構成すれば、１台の表示装置７に複数の部屋の映像を分割表示することも可能になる。
【００４７】
また、上記複数台のうちの１台のカメラを使用して例えば空を撮影し、小型鑑賞魚を撮影した映像と合成すれば、小型鑑賞魚が空中を泳いでいるかのような特異な映像を提供することもできる。
【００４８】
なお、上記した実施形態では円形の水槽２を使用したが、これに限らず、仕切部によって複数の部屋が直列に配置された長方形の水槽を使用することもできる。この場合、水槽移動手段は正逆回転するモータとそのモータの回転力を往復運動に変える機構、例えばラックと歯車で構成することができる。
【図面の簡単な説明】
【００４９】
【図１】本発明に係る小型魚鑑賞用装置の構成を示した説明図である。
【図２】図１に示す水槽の構成を示した斜視図である。
【符号の説明】
【００５０】
１    小型魚鑑賞用装置
２    水槽
２ａ  底板
２ｂ  側板
２ｃ  筒状区画部
２ｄ  仕切板
３    照明装置
４    スタンド
５    外部濾過装置
６    マイクロカメラ
７    表示装置
８    ベース
９    モータ
１０    ベルト
１１    水中ポンプ
１２    ホース
１３    ホース
１４    固定具
１５    蛍光灯
１６    フード
【図１】
2007159456.tif 000003
【図２】
2007159456.tif 000004